(57)【要約】【課題】時計の外部操作部材及びこれに係合される部品の破損や外部操作部材の誤操作を防止しつつ、外部操作部材に対する操作性を確保することのできる構造を提供する。【解決手段】本発明の時計１０は、時計ケース１１を含む時計本体と、該時計本体に対して回転可能かつ軸線方向に移動可能に取り付けられ、略円柱状の操作部１５Ａを備えた外部操作部材１５とを有し、時計本体には、操作部１５Ａの外周面１５Ａａをその軸線周りの一部角度範囲において露出する開口部１４ｂを有するとともに残部角度範囲において包摂した保護部１４が一体的に設けられていることを特徴とする。【選択図】          図１
2004264125.tif 000002
【特許請求の範囲】
【請求項１】
時計本体と、該時計本体に対して回転可能かつ軸線方向に移動可能に取り付けられ、略円柱状の操作部を備えた外部操作部材とを有し、
前記時計本体には、前記操作部の外周面をその軸線周りの一部角度範囲において露出する開口部を有するとともに残部角度範囲において包摂した保護部が一体的に設けられていることを特徴とする時計。
【請求項２】
前記一部角度範囲は、９０度以上１５０度以下の範囲であることを特徴とする請求項１に記載の時計。
【請求項３】
前記保護部における前記開口部の軸線周り両側にある開口縁部の外面が相互に背反する方向に傾斜していることを特徴とする請求項１又は２に記載の時計。
【請求項４】
前記保護部は、前記操作部の先端面を軸線方向に露出するように構成されていることを特徴とする請求項１乃至３のいずれか一項に記載の時計。
【請求項５】
前記操作部の先端面は前記保護部から軸線方向外側に突出し、前記操作部は軸線方向内側に押圧操作可能に構成されていることを特徴とする請求項４に記載の時計。
【請求項６】
前記操作部の先端面の前記保護部に対する軸線方向の突出量は、前記操作部の軸線方向内側への可動量よりも小さく構成されていることを特徴とする請求項５に記載の時計。
【請求項７】
前記操作部の外周面には前記軸線周りの凹凸構造が形成されていることを特徴とする請求項１乃至６のいずれか一項に記載の時計。
【請求項８】
前記時計本体には、前記外部操作部材若しくはこれに接続された部品を軸支する筒状部材が組み込まれていることを特徴とする請求項１乃至７のいずれか一項に記載の時計。
【請求項９】
前記外部操作部材と前記筒状部材との間には、介挿支持リングが配置されていることを特徴とする請求項８に記載の時計。
【請求項１０】
前記介挿支持リングの外面若しくは内面には凹凸構造が設けられていることを特徴とする請求項９に記載の時計。
【請求項１１】
前記介挿支持リングは、前記操作部の軸線方向中央位置を含む軸線方向の所定範囲に位置するように配置されていることを特徴とする請求項９又は１０に記載の時計。
【請求項１２】
前記介挿支持リングは、前記外部操作部材又は前記筒状部材のいずれか一方に締め付けられ、他方との間に隙間を有するように構成されていることを特徴とする請求項９乃至１１のいずれか一項に記載の時計。
【請求項１３】
前記介挿支持リングには、軸線周りの一部に切り欠きを備えていることを特徴とする請求項９乃至１２のいずれか一項に記載の時計。
【請求項１４】
前記外部操作部材と前記時計本体若しくは前記筒状部材との間には復帰ばねが収容されていることを特徴とする請求項９乃至１３のいずれか一項に記載の時計。
【発明の詳細な説明】
【０００１】
【発明の属する技術分野】
本発明は時計本体と外部操作部材とを有する時計に係り、特に、携帯時計として構成する場合に好適な時計構造に関する。
【０００２】
【従来の技術】
一般に、腕時計などの携帯時計では、時計本体の側部に、この時計本体から突出するように設けられたリュウズや押しボタンなどの外部操作部材を備えている。これらの外部操作部材は、時計本体によって表示される時刻、日付、曜日などを修正したり、時計本体の表示モードを変更したり、時計にアラーム機能が設けられている場合にはアラーム時刻を設定したりする場合などに用いられる。
【０００３】
従来の腕時計に設けられる外部操作部材としては、時計本体に対して回転自在かつ軸線方向に移動可能に構成され、軸線方向の標準位置から押圧操作若しくは引き出し操作可能に構成されたプッシュピースクラウンが知られている（たとえば特許文献１参照）。このプッシュピースクラウンは、時計本体に固定されたガイド管に対して軸運動可能に設置され、環状当接リング上に配置された復帰ばねから押圧操作時の復帰力を受けるように構成されている。環状当接リングは、標準位置においてはプッシュピースクラウンの頭部内側に形成されたショルダに係合し、押圧操作によって押し込まれた状態では、ガイド管に設けられたショルダ上に配置されるように構成されている。
【０００４】
【特許文献１】
特開平７−１９８８６３号公報
【０００５】
【発明が解決しようとする課題】
しかしながら、上記従来の外部操作部材は、その操作性を確保するために時計本体から頭部が突出するように構成されていたので、衝撃を受けることによって破損したり、外部操作部材に係合された内蔵部品（たとえばガイド管や巻真）が損傷を受けたりするという問題点がある。
【０００６】
また、外部操作部材が時計本体から突出していることにより、外部操作部材が体の一部や他の部材に接触し、意図しないのに押圧されてしまったり、回転してしまったりするといった、誤操作が発生するという問題もある。
【０００７】
そこで本発明は上記問題点を解決するものであり、その課題は、時計の外部操作部材及びこれに係合される部品の破損や外部操作部材の誤操作を防止しつつ、外部操作部材に対する操作性を確保することのできる構造を提供することにある。
【０００８】
【課題を解決するための手段】
上記課題を解決するために本発明の時計は、時計本体と、該時計本体に対して回転可能かつ軸線方向に移動可能に取り付けられ、略円柱状の操作部を備えた外部操作部材とを有し、前記時計本体には、前記操作部の外周面をその軸線周りの一部角度範囲において露出する開口部を有するとともに残部角度範囲において包摂する保護部が一体的に設けられていることを特徴とする。
【０００９】
この発明によれば、時計本体に一体的に設けられた保護部が操作部の外周面のうち開口部を除く残部角度範囲において包摂するように構成されているので、外部操作部材を外力から保護することができ、外部操作部材やこの外部操作部材に接続される部品の破損を低減することができる。また、操作部の外周面は、保護部の開口部によって一部角度範囲において露出されているため、当該開口部を通して操作部の外周面にアクセスすることができる。
【００１０】
特に、操作部の外周面が上記開口部の開口面よりも外側に突出するように構成することにより、操作部に対する操作性をさらに向上させることができる。
【００１１】
本発明において、前記一部角度範囲は、９０度以上１５０度以下の範囲であることが好ましい。開口部によって操作部の外周面が露出される一部角度範囲が上記範囲内に設定されていることによって、操作部に対する操作性と、保護部による外部操作部材の保護機能とを両立させることができる。ここで、上記一部角度範囲が９０度未満であると、操作部の外周面に対する操作性が悪化し、操作応力が強く操作部に及ぼされることとなるため、外部操作部材やこれに係合される部品に不具合が生ずる可能が高くなり、また、一部角度範囲が１５０度を超えると、外部操作部材に対する保護部による保護効果が低下する。
【００１２】
本発明において、前記保護部における前記開口部の軸線周り両側にある開口縁部の外面が相互に背反する方向に傾斜していることが好ましい。このように開口部の軸線周り両側にある開口縁部の外面が相互に背反する方向に傾斜していることにより、開口部によって露出する操作部の外周面に指などを接触させやすくなり、操作しやすくなるため、操作部に対する操作性を向上させることができる。
【００１３】
本発明において、前記保護部は、前記操作部の先端面を軸線方向に露出するように構成されていることが好ましい。これによれば、操作部の先端面が露出していることによって操作部の先端面を押圧操作することが可能になるとともに、時計の外装デザイン上において操作部の先端面を装飾要素として用いることも可能になる。
【００１４】
本発明において、前記操作部の先端面は前記保護部から軸線方向外側に突出し、前記操作部は軸線方向内側に押圧操作可能に構成されていることが好ましい。これによって、操作部を軸線方向内側に押圧操作しやすくなる。
【００１５】
本発明において、前記操作部の先端面の前記保護部に対する軸線方向の突出量は、前記操作部の軸線方向内側への可動量よりも小さく構成されていることが好ましい。これによれば、保護部に対する操作部の先端面の軸線方向の突出量分だけ操作部が軸線方向内側に押圧されても、操作部はさらに軸線方向内側へ移動可能に構成されていることになるので、外力による操作部の損傷その他の不具合が生じにくくなる。また、時計本体に対する所定の操作を完了せしめるに最低限必要な操作部の軸線方向の操作量、すなわち押圧操作ストロークが上記突出量よりも大きくなるように設定できるため、誤操作を低減することができる。
【００１６】
本発明において、前記操作部の外周面には前記軸線周りの凹凸構造が形成されていることが好ましい。この凹凸構造によって操作部の外周面を操作して操作部をより容易に回転させることができる。凹凸構造としては周知のローレット、文目などの各種模様を構成する溝構造などが挙げられる。
【００１７】
本発明において、前記時計本体には、前記外部操作部材若しくはこれに接続された部品を軸支する筒状部材が組み込まれていることが好ましい。これによれば、外部操作部材の案内精度及び支持強度を高めることができる。
【００１８】
本発明において、前記外部操作部材と前記筒状部材との間には、介挿支持リングが配置されていることが好ましい。介挿支持リングを配置することによって、外部操作部材の筒状部材による支持状態を強化することができるため、外部操作部材の振れを低減し、たとえば、外部操作部材と保護部との抵触を防止することができる。また、支持精度を高めることによって操作部の操作トルクを低減することも可能である。
【００１９】
ここで、前記介挿支持リングの外面若しくは内面には凹凸構造が設けられていることが好ましい。これによって、介挿支持リングによる外部操作部材の支持精度を確保した上で、介挿支持リングと、外部操作部材又は筒状部材との間の摺動抵抗を低減し、これによって操作部の操作トルクを低減することができる。
【００２０】
また、前記介挿支持リングは、前記操作部の軸線方向中央位置を含む軸線方向の所定範囲に位置するように配置されていることが好ましい。これによって、介挿支持リングによる操作部の支持強度をさらに向上させることができる。
【００２１】
さらに、前記介挿支持リングは、前記外部操作部材又は前記筒状部材のいずれか一方に締め付けられ、他方との間に隙間を有するように構成されていることが好ましい。これによれば、介挿支持リングの外部操作部材又は筒状部材に対する摺動抵抗を安定化させることが可能になり、支持状態を確保しつつ操作トルクを低減することができる。
【００２２】
そして、前記介挿支持リングには、軸線周りの一部に切り欠きを備えていることが好ましい。これによれば、外部操作部材が軸線方向に移動するときのエア抜きを行うことができるので、介挿支持リングによる外部操作部材の支持状態を強化しても支障なく操作部を操作できるようになる。
【００２３】
また、前記外部操作部材と前記時計本体若しくは前記筒状部材との間には復帰ばねが収容されていることが好ましい。復帰ばねによって操作部を軸線方向に押圧操作した後の外部操作部材の復帰動作が可能になる。
【００２４】
【発明の実施の形態】
次に、添付図面を参照して本発明に係る時計の実施形態について詳細に説明する。
【００２５】
［第１実施形態］
図１は、本発明に係る第１実施形態の時計１０の外観を示す概略斜視図、図２は平面図、図３は底面図である。時計１０は、図示例では主として時計本体を示すが、実際には、たとえば腕時計を構成する場合には時計バンド、懐中時計や提げ時計を構成する場合には鎖やリングなどの装着手段を備えていてもよい。また、図示構造のみで置時計として構成されていても構わない。
【００２６】
時計本体は、その外形を構成する時計ケース１１の上面に表示窓材１２が装着され、その内部に指針や文字盤、或いは、液晶表示体などの表示体で構成される表示部１０Ａが設けられている。時計ケース１１の内部にはムーブメントが配置される。時計ケース１１の底面には裏蓋１３が装着され、時計ケース１１を密封している。
【００２７】
時計ケース１１の側部には、側方に張り出した保護部１４が設けられている。そして、時計本体には、この保護部１４により一部が覆われるように配置された外部操作部材１５が取り付けられている。外部操作部材１５は略円柱状の操作部（頭部）１５Ａを有し、この操作部１５Ａには、外周面１５Ａａと、先端面１５Ａｂとが設けられる。保護部１４は、外部操作部材１５を包摂するように形成された凹部１４ａを有する。また、この凹部１４ａには、外部操作部材１５の操作部１５Ａの外周面１５Ａａの軸線周りの一部角度範囲を露出させる開口部１４ｂが設けられている。すなわち、操作部１５Ａの外周面１５Ａａは、軸線周りの一部角度範囲において開口部１４ｂによって露出し、軸線周りの残部角度範囲が凹部１４ａ内に配置され保護部１４により包摂されている。
【００２８】
開口部１４ｂによって露出される操作部１５Ａの外周面１５Ａａの一部角度範囲は、開口部１４ｂの開口面よりもやや外側に突出した状態となっている。これによって、操作部１５Ａを操作しやすくなる。また、一部角度範囲としては、操作部１５Ａの軸線周りに測ったときに９０度以上１５０度以下であることが好ましい。これによって操作部１５Ａに対する操作性と、操作部１５Ａに対する保護部１４による保護とを両立することができる。たとえば、上記一部角度範囲が９０度未満であると、指などを外周面１５Ａａに掛けて回転させることがきわめて難しくなり、その結果、操作部１５Ａに対して大きな操作応力を及ぼさなければならなくなる。この操作応力の増大は、外部操作部材１５やこれに係合される部品（後述する筒状部材１６や巻真１７など）に損傷を与える可能性を増大させる。一方、上記一部角度範囲が１５０度を越えた場合には、保護部１４による保護が不十分となり、外部応力により外部操作部材１５やこれに係合される部品（後述する筒状部材１６や巻真１７など）の損傷を受ける可能性が増大する。なお、この一部角度範囲において示される角度は、操作部１５Ａの軸線と、軸線周り両側にある開口縁部１４ｃ，１４ｄの先端とを通過する一対の平面間の角度を言うものとする。
【００２９】
本実施形態では、保護部１４が時計ケース１１に一体に設けられていることにより、外部操作部材１５の操作部１５Ａを保護することができるため、外部操作部材１５及びこれに係合された部品（後述する筒状部材１６及び巻真１７など）の損傷を防止することができる。ここで、保護部１４としては、図示例のように時計ケース１１と一体のものでなくても、時計ケース１１と実質上一体に構成されていればよい。たとえば、時計ケース１１に固定されることにより結果的に一体に構成されている場合と同様に作用するように構成されていればよい。なお、図示例では、保護部１４を備えた時計ケース１１は全体として略Ｌ字形の平面形状を備えている。
【００３０】
また、操作部１５Ａの先端面１５Ａｂは、軸線方向に向けて保護部１４に遮られることなく露出している。すなわち、凹部１４ａは、操作部１５Ａの先端面１５Ａｂを露出させる開口部をも備えている。なお、本明細書において、「軸線」とは、外部操作部材１５の軸線を意味し、「軸線方向」は、上記「軸線」の伸びる方向を示し、「軸線周り」は上記「軸線」を中心に周回すること及びその周回方向を示すこととする。
【００３１】
保護部１４には、上記開口部１４ｂに対して軸線周り両側に配置された開口縁部１４ｃ，１４ｄが設けられている。これらの開口縁部１４ｃ，１４ｄは、操作部１５Ａの外周面１５Ａａに対してなめらかに繋がるように配慮された表面形状を有する。開口縁部１４ｃと、開口縁部１４ｄとは、開口部１４ｂによって一部が露出する操作部１５Ａの両側で、相互に背反する方向に傾斜している。すなわち、開口縁部１４ｃの外面と開口縁部１４ｄの外面は、操作部１５Ａに対して共に背中合わせとなるように形成されている。より具体的に言えば、開口縁部１４ｃの外面と、開口縁部１４ｄの外面との間の交差角度θ（図１で点線で示す。）は、相互に１８０度を越える角度を備えたものとなっている。これによって、開口部１４ｂにより露出した外周面１５Ａａに指などを容易に接触させることが可能になり、操作部１５Ａに対する操作性が向上する。
【００３２】
図４は、時計１０における上記軸線と平行な断面構造を模式的に示す概略断面図である。ここで、時計ケース１１内に配置されているムーブメントや表示部１０Ａは図示を省略してある。外部操作部材１５は、上記の操作部１５Ａの内部において軸線方向内側（軸線方向の時計ケース１１内部に向かう向き）に伸びる軸部１５Ｂを備えている。一方、時計ケース１１には、その内部に貫通した貫通孔１１ａが設けられている。そして、この貫通孔１１ａに筒状部材１６が挿入され、適宜の方法（溶接、ロウ付け、接着など）により固定されている。筒状部材１６は時計ケース１１から軸線方向外側に突出し、その突出した部分が、操作部１５Ａと、軸部１５Ｂとの間に挿入されている。
【００３３】
軸部１５Ｂは時計ケース１１内に伸びる巻真１７に螺合などによって接続されている。また、軸部１５Ｂは、筒状部材１６の内部において軸支されている。これによって、外部操作部材１５は、筒状部材１６に対して回転可能かつ軸線方向に移動可能に案内された状態となっている。筒状部材１６の軸線方向外側の外周面と、外部操作部材１５の操作部１５Ａの内周面との間には、介挿支持リング１８が配置されている。これによって、外部操作部材１５は、介挿支持リング１８を介して筒状部材１６に支持された状態になっている。
【００３４】
ここで、筒状部材１６の外周面には一段低くなったリング収容部１６ｄが設けられ、このリング収容部１６ｄ上に上記介挿支持リング１８が配置されるように構成されている。また、この実施形態では、筒状部材１６の外周に設けられた段差（上記収容部１６ｄの境界を構成する。）によって介挿支持リング１８が軸線方向内側に移動しないように係止される。
【００３５】
この介挿支持リング１８は、外部操作部材１５や筒状部材１６に較べて弾性に富んだ部材で構成されることが好ましい。たとえば、ポリプロピレンやポリアセタールなどの合成樹脂、ＮＢＲや変性ＩＩＲなどの合成ゴムなどによって構成できる。ただし、介挿支持リング１８の弾性は、外部操作部材１５の支持状態に影響を与え、特に本実施形態では、外部操作部材１５と保護部１４との間の間隙が比較的小さいため両者が摺接しないようにする必要があるとともに、巻真１７の曲がりを防止する必要もあることから、介挿支持リング１８は比較的硬質の合成樹脂などで構成されることが好ましい。
【００３６】
介挿支持リング１８は、図６に示すように、その外面に軸線方向の凹凸形状１８ａが設けられている。これによって、外部操作部材１５との接触面積が限定され、操作部１５Ａの操作トルクを低減できる。介挿支持リング１８は、外部操作部材１５と筒状部材１６のいずれか一方に対して締め代を持ち、他方に対して若干の隙間を有するように構成されることが望ましい。これによっていずれか一方に対して介挿支持リング１８を確実に締め付け固定することができ、他方に対する摺動性を確保することができるからである。たとえば、介挿支持リング１８は、外部操作部材１５の操作部１５Ａの内周面に対して締め代をもって嵌合し、筒状部材１６の外周面に対してきわめて僅かな隙間を有するように構成できる。もちろんこの逆に構成することも可能である。また、介挿支持リング１８には軸線周りの一部に切り欠き１８ｂが設けられている。この切り欠き１８ｂは、外部操作部材１５と筒状部材１６との間のエア抜きを行うものであり、これによって外部操作部材１５が支障なく軸線方向に移動できるようになっている。
【００３７】
図４には、凹凸構造１８ａを備えない円筒状の介挿支持リング１８′も図示してある。この介挿支持リング１８′においても、外部操作部材１５を支持し、操作時の振れによる曲がりを防止することができる。また、介挿支持リング１８′にも上記と同じ目的を有する切り欠きが設けられることが望ましい。
【００３８】
上記の介挿支持リング１８，１８′は、いずれも突出した操作部１５Ａの軸線方向中央部において軸線方向に所定範囲に亘って配置されている。これによって、操作部１５Ａに対する操作応力をしっかりと受け止めることが可能になるので、外部操作部材１５やこれに係合された部品（筒状部材１６や巻真１７など）の曲がりなどをより確実に防止できる。
【００３９】
外部操作部材１５と、筒状部材１６との間にはコイルスプリングなどで構成される復帰ばね（或いは弾性部材）１９が配置されている。この復帰ばね１９は、外部操作部材１５が軸線方向内側に押圧された後に解放されたとき、その復帰力によって外部操作部材１５を図４に示す標準位置に復帰させるためのものである。なお、この復帰ばね１９は、筒状部材１６が設けられない場合には、時計ケース１１と外部操作部材１５との間に配置される。
【００４０】
図４に示すように、本実施形態では、操作部１５Ａの先端面１５Ａｂは、保護部１４から軸線方向外側へ僅かに突出するように構成されている。これによって、操作部１５Ａを軸線方向内側へ容易に押圧操作することができる。ここで、保護部１４に対する操作部１５Ａの先端面１５Ａｂの軸線方向外側への突出量１５ｘは、外部操作部材１５の軸線方向内側への可動量１５ｙよりも小さくなるように構成されている。これによって、操作部１５Ａの突出部分が誤って何かに触れて応力を受けたとき、操作部１５Ａの先端面１５Ａｂが保護部１４の外面位置とほぼ一致するまで軸線方向内側へ押し込まれても、さらに軸線方向内側へ移動可能に構成されていることになるので、外部操作部材１５やこれに係合された部品（筒状部材１６や巻真１７など）の不具合（損傷）を低減することができる。また、この場合には、外部操作部材１５の押圧操作を完了させるのに最低限必要な押圧操作ストロークを上記の突出量１５ｘよりも大きく設定することが可能になるので、操作部１５Ａの先端面１５Ａｂが保護部１４の外面とほぼ一致するまで誤って押し込まれても押圧操作が完了しないように構成できるので、誤操作を防止することができる。
【００４１】
［第２実施形態］
図５は、上記第１実施形態とは異なる別の構成例である第２実施形態を示す概略断面図である。この第２実施形態は、筒状部材１６″及び介挿支持リング１８″の形状・構造が上記第１実施形態と異なるだけであり、その他の部分は同一であるので、同一部分には同一符号を付し、同一部分に関する説明は省略する。
【００４２】
この第２実施形態では、筒状部材１６″の外周面に環状溝１６ｄ″が形成され、この環状溝１６ｄ″に介挿支持リング１８″が嵌合配置されている。環状溝１６ｄ″及び介挿支持リング１８″は軸線方向に複数設けられている。介挿支持リング１８″は環状溝１６ｄ″に対して締め代をもって嵌合しており、また、操作部１５Ａの内周面に対して僅かな隙間をもつように構成されている。この実施形態では、介挿支持リング１８″は、図７に示すように外周側に向けて幅狭になるように構成された山形の断面形状１８ａ″を備えている。また、この介挿支持リング１８″にも上記と同じ目的で切り欠き１８ｂ″が形成されている。
【００４３】
この実施形態においては、複数の介挿支持リング１８″が軸線方向に配置されていることによって第１実施形態と同様の効果を奏することができる。また、複数の介挿支持リング１８″は、操作部１５Ａの軸線方向中央部を挟んで軸線方向両側の複数箇所において配置されているため、外部操作部材１５を確実に支持することができ、外部操作部材１５やこれに接続される部品（筒状部材１６及び巻真１７など）に曲がりが生ずることを防止できる。
【００４４】
［第３実施形態］
次に、図８を参照して本発明に係る第３実施形態の時計２０について説明する。この実施形態では、時計ケース２１の側部に保護部２４が設けられ、この保護部２４によって保護された外部操作部材２５が設けられている。外部操作部材２５は略円柱形上の操作部を有し、この操作部は、保護部２４の凹部２４ａの内部に配置されている。凹部２４ａには、前面に開口する開口部２４ｂを備えている。この開口部２４ｂは、操作部の外周面を、軸線周りの一部角度範囲において露出するように構成されている。また、保護部２４は、操作部の先端面を軸線方向外側に露出するように構成されている。
【００４５】
この実施形態では、保護部２４は、外部操作部材２５の操作部を露出させる開口部２４ｂの軸線周り両側にほぼ対称な構成部分を備えている。より具体的には、略平面状に構成された保護部２４の上面に開口部２４ｂが開口した構造を有する。したがって、外部操作部材１５の操作部外周面は、時計本体のほぼ上面側にのみ露出した状態となっている。これによって、外部操作部材１５及びこれに接続される部品に対する保護性能が向上し、より確実に操作部を外力から保護することができる。
【００４６】
［第４実施形態］
最後に、図９を参照して本発明に係る第４実施形態の時計３０について説明する。この実施形態では、時計ケース３１の側部に保護部３４が設けられ、この保護部３４は、外部操作部材３５の操作部を収容する凹部３４ａを有する。凹部３４ａは、外部操作部材３５の操作部の外周面の一部角度範囲を露出する開口部３４ｂを備えている。この実施形態では、凹部３４ａは操作部の軸線方向外側に当たる部分が閉鎖されており、その結果、操作部は、平面的に見て保護部３４によって周囲全てを取り囲まれた状態となっている。凹部３４ａは操作部に対して軸線方向に余裕をもって形成され、その結果、凹部３４ａ内において操作部が軸線方向に移動可能に構成されている。また、図示例のように操作部が開口部２４ｂの開口面から一部突出している場合には、開口部２４ｂもまた軸線方向に余裕をもって開口するように構成される。従って、操作部を軸線方向に移動させることによって異なるモードの操作を行うことができる。
【００４７】
尚、本発明の時計は、上述の図示例にのみ限定されるものではなく、本発明の要旨を逸脱しない範囲内において種々変更を加え得ることは勿論である。たとえば、上記各実施形態では時計本体と外部操作部材のみを有する時計を図示してあるが、本発明は、図示の時計に時計バンドを接続してなる腕時計として構成する場合に最も有効なものである。また、腕時計に限らず、懐中時計や提げ時計などの各種携帯時計にも適用できる。
【図面の簡単な説明】
【図１】第１実施形態の時計１０の外観を示す概略斜視図。
【図２】時計１０の平面図。
【図３】時計１０の底面図。
【図４】時計１０の概略断面図。
【図５】第２実施形態の概略断面図。
【図６】第１実施形態の介挿支持リングの平面図（ａ）及び断面図（ｂ）。
【図７】第２実施形態の介挿支持リングの平面図（ａ）及び断面図（ｂ）。
【図８】第３実施形態の概略斜視図。
【図９】第４実施形態の概略斜視図。
【符号の説明】
１０，２０，３０…時計
１１，２１，３１…時計ケース
１４，２４，３４…保護部
１４ａ，２４ａ，３４ａ…凹部
１４ｂ，２４ｂ，３４ｂ…開口部
１５，２５，３５…外部操作部材
１５Ａ…操作部
１５Ａａ…外周面
１５Ａｂ…先端面
１６…筒状部材
１７…巻真
１８…介挿支持リング
１８ｂ…切り欠き
【図１】
2004264125.tif 000003
【図２】
2004264125.tif 000004
【図３】
2004264125.tif 000005
【図４】
2004264125.tif 000006
【図５】
2004264125.tif 000007
【図６】
2004264125.tif 000008
【図７】
2004264125.tif 000009
【図８】
2004264125.tif 000010
【図９】
2004264125.tif 000011